(57)【要約】【課題】従来のおにぎり成型器では、あらかじめ定められた形状に容易に成型できるように設計されており、使用者の創造性や遊び心が制限されていた。【解決手段】固定されたおにぎり成型器の形状を変え、一枚のシートとしている。このシートには折り線を施しており実線は山折、点線は谷折で折ることが指示されているため使用者が折紙の要領で完成型を予測しながら自ら折り上げていき、試行錯誤し楽しみながら成型される過程を経て初めて完成する。そして成型されたシートを型紙として用い、米飯を始めとした和の食材から、ケーキのような洋の食材まであらゆる食材を調理することができる。 【選択図】    図１
2017144223.tif 000002
【特許請求の範囲】
【請求項１】
食材を成型する機能を備え、かつ、実線と点線の２種の折り線を施した一枚のシート状のものであって、実線と点線の形状や組み合わせにより使用者が創造性を発揮させるように難易度も異なるバリエーションを施した工作用具。
【請求項２】
請求項１に示すシート状の工作用具を用い、実線は山折、点線は谷折で折る折紙遊びの工程を経て食材を成型する型紙を完成させ、その型紙により通常おにぎりの食材として用いられる米飯から、西洋の食材であるケーキ、パンなどの小麦食材まで多種多様な食材を成型する調理法。
【発明の詳細な説明】
【技術分野】
【０００１】
本発明は、折紙遊びの楽しみを加えた食材成型を兼ねた工作用具とその工
作用具を用いた調理法に関する。          
【背景技術】
【０００２】
従来のおにぎり成型器には、簡易な型紙の仕組みで容易におにぎりを成型
するものがある（例えば、特許文献１参照）。
【先行技術文献】
【特許文献】
【０００３】
【特許文献１】特開２０１５−１３４０８８号  公報
【発明の概要】
【発明が解決しようとする課題】
【０００４】
従来のおにぎり成型器は、肩の形状が限られており、成型の容易さを目的
としているため、作り手の創意工夫や作る過程での楽しみが制限される。
【課題を解決するための手段】
【０００５】
そこで本発明は、食材を成型する機能を備え、かつ、実線と点線の２種の折り線を施した一枚のシート状のものであって、実線と点線の形状や組み合わせにより使用者が創造性を発揮させるように難易度も異なるバリエーションを施した工作用具である。
【０００６】
前記に示すシート状の工作用具を用い、実線は山折、点線は谷折で折る折紙
遊びの工程を経て食材を成型する型紙を完成させ、その型紙により通常おにぎりの食材として用いられる米飯から、西洋の食材であるケーキ、パンなどの小麦食材まで多種多様な食材を成型する調理法である。
【発明の効果】
【０００７】
本発明は、このような従来のおにぎり成型器に、工作という新たな要素を加
えており、作り手の創造性により型を組み立てる過程自体を折紙遊びとして楽
しみ、その型紙を使って米飯を含むあらゆる食材を成型する一連の方法を提供
することを目的とする。
【０００８】
本発明は、日本の伝統的な遊びである折紙の概念と日本のソウルフードであるおにぎりの概念を融合したものであり、日本の伝統文化を回帰すると同時に新しい食のスタイルを提案する。
【０００９】
おにぎり作りにおいては、工作という遊びの要素を加えることで国内の若年
層の米離れを食い止め、米の消費拡大に貢献する。
【００１０】
食卓でもスマホでゲームや動画に夢中になる子供やその家族の中で、自然と
会話を増やすためのコミュニケーションツールとして用いられる。
【００１１】
日本の伝統的遊びである折紙と伝統的食材であるおにぎりを通して、海外に
日本文化を紹介する道具になる。
【図面の簡単な説明】
【００１２】
【図１】シートと折線の構成図
【図２】「共有」の折り方図
【図３】調理準備説明図
【図４】調理説明図
【図５】食材を包み図２の手順で折った型紙を復元させた状態図
【図６】海苔で全体を覆ったおにぎりの完成図
【図７】創作を施した海苔で作られたおにぎりの完成図
【図８】「千鳥」の折り方図
【図９】「仲間」の折り方図
【図１０】「富士山」の折り方図
【発明を実施するための形態】
【００１３】
以下、本発明の実施の形態を図１から図１０に基づいて説明する。
【００１４】
図１において、１は食材を成型する機能を備えたシート本体で、印刷面が表、
無地面が裏となる。１には実線２、点線３が施されている。１に施した折線に
はバリエーションがあり、様々な形を折ることができるが、図は「共有」とい  
う一つの型を例として用いている。
【００１５】
図２において、印刷面を表とし、折り紙の要領で実線２を山折、点線３を谷
折で折上げる。
【００１６】
折り目のついたシートを一旦広げ、裏面にラップ４を敷き調理の準備をす
る。図３はラップ４を敷いた上に、食材を包むものとして海苔７を載せる準備
状態を表している。
【００１７】
調理の準備ができたシートの上に食材を乗せる。図４は一例として５ご飯、
６梅干と昆布としているが、使用者により食材や具も好みにより変えることが
できる。この段階で、使用者は出来上がりの色合いや味付けなど、創意工夫を
凝らしながらオリジナルのレシピが考案可能になる。
【００１８】
図２の手順でシートの形状を復元し、シートの中の食材を成型する。図５は
食材がシートの中に包まれた状態を表している。
【００１９】
シートを開くと、中の食材は図５と同様の形状に成型されており、完成とな
る。
【実施例１】
【００２０】
図７は「共有」という折り方で調理し二人で共有できるおにぎりが完成した図。使用者の創作として海苔は人型に切り取り模様としている。切り取られた部分から生ハムが覗くように、海苔を敷く際に一緒に載せた。
【実施例２】
【００２１】
図８は「千鳥」という飛ぶ鳥をイメージしてデザインされた折り方の図。実線を山折、点線を谷折としＡＢＣＤの手順で折り食材を成型する型紙を完成させたもの。
【実施例３】
【００２２】
図９は「仲間」という折り方で、三角錐が三つできる折り方の図。実線を山折、点線を谷折としＡＢＣＤの手順で折り食材を成型する型紙を完成させたもの。
【実施例４】
【００２３】
図１０は「富士山」という折り方の図。実線を山折、点線を谷折としＡＢＣＤの手順で折り食材を成型する型紙を完成させたもの。
【符号の説明】
【００２４】
１  食材を成型する機能を備えたシート
２  実線
３  点線
４  ラップ
５  食材の例としてご飯
６  具の例として梅干と昆布
７  海苔
【図１】
2017144223.tif 000003
【図２】
2017144223.tif 000004
【図３】
2017144223.tif 000005
【図４】
2017144223.tif 000006
【図５】
2017144223.tif 000007
【図６】
2017144223.tif 000008
【図７】
2017144223.tif 000009
【図８】
2017144223.tif 000010
【図９】
2017144223.tif 000011
【図１０】
2017144223.tif 000012
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
係合片、周壁片、舌片、スリットあるいは凹凸など食材を成型するための付属的な部分の全くない正方形のシート状の折り紙であって、玩具として難易度を持たせユニークな形になるようシートごと個別に実線と点線２種類の折り線を施すことで折上がる立体形状を限定させており、かつ実線は山折、点線は谷折という折り方のルールを設けることで、使用者が平面の状態から完成形である立体形状を予測し折り方のルールに則って作り上げる図１から図６の過程で食材が成型される工作用具であり、
図８Aで示すように前記シートとは別のシートは、正方形の一つの対角線を中心に左右対称で、前記対角線を二等辺三角形の底辺とし中心方向へ歪曲する2本の曲線を二等辺とし、前記二等辺の接点から底辺に向かって垂直に左右対称で外方向へ歪曲し向かい合う円弧の曲線が施されており、前記対角線を底辺に左右対称に連なる二等辺三角形の片側それぞれ１辺に相当する2本の曲線と底辺の接点を中心に向かって移動させることで片側のみ余白を設け、前記折り方のルールに従い図８Dのような飛ぶ鳥の形状に見立てた二連四面体となるよう実線と点線を配設した工作用具であり、かつ
図１０Aで示すように前記シートとは別のシートで、四等分割されるよう切り取り線の施されたシートでそれぞれ左右対称の正方形であり、図１０Bのように等分された一つ正方形の１対角線部分を底部とするため左右対称に外方向へ歪曲する２本の円弧曲線を施し、図１０Cのように前記底部を中心に外壁を折り上げ、前記底部と接する二等辺に左右対称の内方向へ歪曲する円弧曲線を施し、かつ図１０Dのように前記底部の左右先端が跳ね上がるよう底部に対して垂直な直線を配設し三辺が内方向に歪曲する三角形を前後正面とし、前記折り方のルールに従い富士山の形状を見立てた五面体となるよう折り線を施した工作用具である。
【請求項２】
請求項１に示すシート状の工作用具を用いた一連の調理法であって、前記折り紙遊びの過程である山折・谷折の工作作業の過程で使用者が選別した食材を工作の材料として使用し、図７のように食べることが可能な玩具が成型されるよう導く一連の調理法。